(57)【要約】【課題】無農薬栽培を、簡易かつ確実に行える手段が、防虫ネットによるハウス栽培方法である。防虫ネット付き換気扇によるハウス栽培に於いては、換気の確保と、効率化、低コスト化等を図ること等が要望される。しかし、従来の構造では、換気の効率化・迅速化・低コスト化を図るには困難であり、また、給排気を、一つの換気扇を介して行なうのはさらに困難である。【構成】ハウス、工場の躯体を構成する外枠と、外枠に設け、建屋の内外方に突出して設けた内枠と、内枠に枢支した換気扇支持体と、換気扇支持体に設けた換気扇で構成した現場で取付ける建屋の換気扇装置で、換気扇支持体に設けた枢軸を内枠に枢着し、換気扇支持体又は枢軸を、内枠に設けた駆動手段を介して回転させるとともに、換気扇支持体と内枠との間にロック機構を設け、ロック機構を、自動又は手動により施錠又は開錠する現場で取付ける建屋の換気扇装置を提案する。【選択図】図１
2010065856.tif 000002
【特許請求の範囲】
【請求項１】
ハウス、工場の躯体を構成する外枠と、この外枠に設け、かつこのハウス、工場の内外方に突出するように設けた内枠と、この内枠に枢支した換気扇支持体と、この換気扇支持体に設けた換気扇で構成した現場で取付ける建屋の換気扇装置であって、
この換気扇支持体に設けた枢軸を、前記内枠に枢着するとともに、少なくともこの換気扇支持体及び／又は前記枢軸を、前記内枠に設けた駆動手段を介して回転させるとともに、当該換気扇支持体と内枠との間にロック機構を設け、このロック機構を、自動又は手動により施錠又は開錠する構成とした現場で取付ける建屋の換気扇装置。
【請求項２】
ハウス、工場の躯体を構成する外枠と、この外枠に設け、かつこのハウス、工場の内外方に突出するように設けた内枠と、この内枠に枢支した換気扇枠体と、この換気扇枠体に設けた換気扇で構成した現場で取付ける建屋の換気扇装置であって、
この換気扇枠体に設けた枢軸を、前記内枠に枢着するとともに、この枢軸にワイヤを捲装し、このワイヤを前記内枠に並設するとともに、当該ワイヤの両端を、この内枠の縁部まで延設し、かつこのワイヤを、前記換気扇枠体と内枠との間に設けたロックピンに捲装し、このロックピンを、前記ワイヤの動作で施錠又は開錠する構成とした現場で取付ける建屋の換気扇装置。
【請求項３】
ハウス、工場の躯体を構成する外枠と、この外枠に設け、かつこのハウス、工場の内外方に突出するように設けた内枠と、この内枠の第一の上下枠部に枢支した換気扇枠体と、この換気扇枠体に設けた換気扇で構成した現場で取付ける建屋の換気扇装置であって、
この換気扇枠体に設けた枢軸を、前記第一の上下枠部に枢着するとともに、この枢軸にワイヤを捲装し、このワイヤを前記第一の下枠部に並設するとともに、当該ワイヤの一方・他方の端部を、第一の下枠部の縁部まで延設し、かつこのワイヤを、前記換気扇枠体と第一の下枠部との間に設けたロックピンに捲装し、このロックピンを、前記ワイヤの一方・他方の動作で施錠又は開錠する構成とした現場で取付ける建屋の換気扇装置。
【請求項４】
請求項３に記載の現場で取付ける建屋の換気扇装置であって、
このワイヤは、その一方の端部が、前記第一の下枠部の表面側に設けたブラケットの鍔片と、この第一の下枠部の表面側にある鍔片を貫設し、かつ前記換気扇枠体の第二の下枠部の表面側、又はロック板に至るロックピンに設けた一方のローラの上面に係止するとともに、このワイヤは、前記第一の下枠部の裏面側を通って、この一方の端部から延設されたワイヤの中心部を、前記換気扇枠体の第二の下枠部の表面側の鍔片に固止する枢軸に設けた回転カムに係止し、その後、このワイヤは、前記第一の下枠部の裏面側を通って、このワイヤの中心部から延設された他方の端部が、前記ロックピンに設けた他方のローラの上面に係止して、前記第一の下枠部の表面側にある鍔片と、この第一の下枠部の表面側に設けたブラケットの鍔片を貫設する構成とした現場で取付ける建屋の換気扇装置。
【請求項５】
請求項３に記載の現場で取付ける建屋の換気扇装置であって、
前記ワイヤの中心部を、内枠の第一の下枠部の裏面側に設けた複数の滑車を介して、この第一の下枠部に設けた複数の孔に挿通し、前記回転カムの立上壁に係止する構成とした現場で取付ける建屋の換気扇装置。
【請求項６】
請求項５に記載の現場で取付ける建屋の換気扇装置であって、
前記回転カムは、平面視して扇形であり、この扇形の端部に立上壁を形成する構成とした現場で取付ける建屋の換気扇装置。
【請求項７】
請求項５に記載の現場で取付ける建屋の換気扇装置であって、
前記ワイヤは、内枠の第一の下枠部に設けた孔を貫通し、及び係止リングへの係止を介して、前記回転カムの立上壁のガイド溝を経由する構成とした現場で取付ける建屋の換気扇装置。
【請求項８】
ハウス、工場の躯体を構成する外枠と、この外枠に設け、かつこのハウス、工場の内外方に突出するように設けた内枠と、この内枠に枢支した換気扇枠体と、この換気扇枠体に設けた換気扇で構成した現場で取付ける建屋の換気扇装置であって、
この換気扇枠体に設けた枢軸を、前記内枠に枢着するとともに、この枢軸に設けた滑車にワイヤを捲装し、このワイヤの両端を、前記内枠の下側まで垂下し、また、操作杆を、前記換気扇枠体と内枠の間に設けたロックピンに係止して、この操作杆の動きにより、施錠又は開錠する構成とした現場で取付ける建屋の換気扇装置。
【請求項９】
ハウス、工場の躯体を構成する外枠と、この外枠に設け、かつこのハウス、工場の内外方に突出するように設けた内枠と、この内枠に枢支した換気扇枠体と、この換気扇枠体に設けた換気扇で構成した現場で取付ける建屋の換気扇装置であって、
この換気扇枠体に設けた枢軸を、前記内枠に枢着するとともに、この枢軸に設けた滑車にワイヤを捲装し、このワイヤの両端を、前記内枠の下側まで垂下し、また、前記換気扇枠体に設けた対の切溝と、前記内枠にロックピンが挿脱可能に設けられるとともに、この内枠には、当該内枠に前記換気扇枠体が内設された際に、この内設状態を確保するストッパーを設け、さらに前記ロックピンを下げる引下げ手段と、このロックピンの復帰を図るスプリングを介して、施錠又は開錠する構成とした現場で取付ける建屋の換気扇装置。
【請求項１０】
請求項１、請求項２、請求項３、請求項８、請求項９、のいずれかに記載の現場で取付ける建屋の換気扇装置であって、
このハウス、工場の壁面の内側に、前記換気扇の回転するスペースを確保し、このスペースを防虫ネット、又はビニール等の遮蔽部材で囲繞する構成とした現場で取付ける建屋の換気扇装置。
【請求項１１】
請求項１、請求項２、請求項３、請求項８、請求項９、のいずれかに記載の現場で取付ける建屋の換気扇装置であって、
この換気扇支持体、又は換気扇枠体に設けた枢軸を、モータと、歯車機構を介して、回転する構成とした現場で取付ける建屋の換気扇装置。
【発明の詳細な説明】
【技術分野】
【０００１】
本発明は、ハウス、工場（建屋とする）の躯体を構成する妻面の外枠に設けられる現場で取付ける建屋の換気扇装置に関する。
【背景技術】
【０００２】
周知の如く、野菜、葉菜、果物、花等の作物の栽培における無農薬（無農薬栽培）、又は減農薬栽培（無農薬栽培とする）は、例えば、人々の健康に役立ち、しかも疾病の回復及び／又は予防に有効であること、また、経済性（低コスト化）を確保した、農業経営と、農業専従者の確保等を考慮した場合においても、必要な形態と考えられること、更には、人類の永久的なテーマである地球環境維持等を念頭においた場合においても、必要不可欠であること、等が挙げられる。
【０００３】
この無農薬栽培を、簡易、かつ確実に行える手段が、防虫ネットによるハウス栽培方法（防虫ネット付き換気扇によるハウス栽培等の栽培方法）である。しかし、この防虫ネット付き換気扇によるハウス栽培で、特に、換気（外気の給気「吸込み」及び／又は内気の排気「排出」）の確保と、換気の効率化と、低コスト化が図れる給排気用の換気扇が要望される。殊に、換気の効率化を達成するための手段として、給排気を、一つの換気扇を介して行なうことが理想であるが、必ずしも、十分な成果を発揮するには到っておらず、この点を改良することが要望されている。
【０００４】
以上のような状況に鑑み、本出願人は、種々の提案をしているので、その一例を説明すると、防虫ネット付きハウス栽培方法、また防虫ネット付きハウス栽培におけるシャッター、又はハウスのシャッターに取付ける防虫ネット、或いはハウスの防虫ネット又は防寒布付きシャッター等の各種の発明がある。この発明には、例えば、特開２００５−１３４０１２の「防虫ネット付き農事用、建屋用シャッター」と、特開２００５−１４０４４８の「防虫ネット付き農事用、建屋用シャッター」が挙げられる。そして、これらの提案を介して無農薬栽培に適し、かつ無農薬栽培に必要とする外気の吸込み量及び／又は排気量等を確保することが可能となった。
【０００５】
そして、また、工場では、換気機能の促進と、空気の清浄化を図ることで、例えば、現場環境を良くすることで健康維持を図り、また、空気清浄化に要する設備・ランニングコストの軽減化等を達成し、更に、経営の合理化と、経済効果を確保すること等が要望されている。しかしながら、現状では、躯体の外枠へ取付ける換気扇や、又は屋上扇による給気、又は排気の手段に留まっており、換気の効率化と、低コスト化が図れる給排気用の換気扇が要望される。
【０００６】
上記に鑑み、給排気用の換気扇として、下記に示した各先行文献が、参考として挙げられるので、その概要を、以下に説明する。
【０００７】
文献（１）は、特開２００１−２０８９３の「換気扇」である。この発明は、略筒状のケーシング内に、換気用ファンと吸気用ファンを環状に配した二重構造であって、この換気用ファンを送出空気流路に、吸気用ファンを送入空気流路にそれぞれ配設するとともに、この換気用ファン及び吸気用ファンの回転で、吸排気を同時にすることを特徴とし、また換気の効率化、又は一基で吸排気が図れる換気扇の提供を意図する。
【０００８】
文献（２）は、特開２００６−２６９３の「送風装置」である。この発明は、回転ファンの送風羽根が、回転駆動軸に摺動（移動）可能に設けた中継体と、この中継体を摺動する操作部材及び操作アーム、連動リンク等（送風切換え機構）を介して、吸気向きと排気向きに、向きを変更自在に支持された構造であり、回転ファンによる吸気と排気の切換えが可能な、コンパクトで、かつ塵埃が多くても切換え不良が発生しにくい送風装置の提供を意図する。
【０００９】
また、文献（３）は、特開平１０−２５３１０９号の「クロスフローファンアッセンブリ」である。この発明は、空気の入口及び出口を有するケーシングに、円筒状の羽根車を回転自在に装置し、この羽根車の回転を、この羽根車を支持する回転軸まわりに回動可能な回動部材と、この回動部材を任意の角度だけ回動させる作動手段とを設けて行う構造であり、１つのファンで、吸気と排気の双方を行うことができ、かつ吸気と排気の方向を自由に変更できる貫流ファンの提供を意図する。
【００１０】
そして、文献（４）は、本出願人が提案する発明であり、特開２００８−７６０３７の「ハウスの壁面に設けられる壁面用の換気扇構造」である。この発明は、ハウスの壁面に設けたシャッターと、このシャッターに間隔をおいて設けた換気扇で構成したハウスの換気扇構造で、換気扇は、壁面よりハウス内に向かって延設した枠体の自由端に設け、この換気扇を、枠体の自由端に回転可能に設け、この換気扇の回転を介して、吸気用の換気扇と、排気用の換気扇として利用可能な構成とするとともに、換気扇の全体を防虫ネットで囲繞する構成を特徴とし、防虫効果と、換気扇の有効利用と、ハウスの換気と、外気の吸込量の確保を図ること等を意図する。
【００１１】
【特許文献１】特開２００１−２０８９３
【特許文献２】特開２００６−２６９３
【特許文献３】特開平１０−２５３１０９号
【特許文献４】特開２００８−７６０３７
【発明の開示】
【発明が解決しようとする課題】
【００１２】
前述の文献（１）は、換気用ファンと吸気用ファンの併用型構造であり、吸込みと排気とを個別に制御する構造ではない。従って、ハウスへの外気の導入と、内気の排気を個別に図り、素早く換気を図るには、充分とは考えられない。
【００１３】
また、文献（２）は、中継体の摺動を介して、回転羽根の軸方向の向きを変更し、吸気と排気とを図る構造である。従って、明細書に記載の如く、エンジン冷却用の回転ファンの切換えに採用するには、有効と考えられるが、本発明が意図する建屋用の大型換気扇を、回転し、吸込みと排気を図る構造には、構造上で不向きと考えられる。また、この発明の送風切換え機構は、複雑であることから、簡易な構造を旨とする建屋用の大型換気扇に採用するには、困難性がある。
【００１４】
さらに、文献（３）は、貫流ファンを、ハンドルとギア機構を介して、ケーシング内で回転し、この回転による方向変換を介して、その吸込みと排気を図る構造である。従って、明細書に記載の如く、住宅、事務所等の室内・外の空気の入れ替えであって、窓用換気扇には適するが、文献（２）と同様な問題点を有するものと考えられる。
【００１５】
尚、文献（４）は、換気扇を、吸気用の換気扇と、排気用の換気扇として利用可能な構造であり、重宝する。しかし、構造が複雑となり、使い勝手の面で改良の余地が考えられる。
【００１６】
従って、本発明は、昨今、建屋における内外空気の入れ替え（換気）が簡便で、かつ省エネルギーに役立ち、しかも壁面、また、窓用換気扇に関し、大型の換気扇構造にも対応でき、吸気と排気の切換えがワンタッチでできる併用型の換気扇の要望に応え得ること、又は各文献では、望めない、吸気用の換気扇と、排気用の換気扇として利用可能であって、その使い勝手の良い構造を提供すること、等を意図する。そして、また、本発明は、前記文献（４）の発明をさらに進化させ、ハウス、又は工場等の建屋に最適な、換気扇構造を提案することにある。
【課題を解決するための手段】
【００１７】
請求項１の発明は、建屋に設置した主として大型換気扇（他の換気扇を含む）に、吸気・排気用の換気扇としての機能を備えることで、建屋の吸気及び／又は排気の多様化と、効率的な吸気及び／又は排気と、又は利便性を確保すること、防虫、及び益虫の保護と、益虫の死滅の回避、また、ハウス栽培の効率化と、無農薬化等に寄与すること、又は工場のサーキュレーション効果を発揮すること、等を意図する。また請求項１の発明は、建屋への外気の導入と、内気の排気を個別に図り、素早く換気を図ること、等を意図する。さらに請求項１の発明は、換気扇を、駆動手段の操作を介して、確実に回転させることで、人が建屋内に立った状態で、ワンタッチ、または自動で操作可能な回転機構を提供することを意図する。そして、また、請求項１の発明は、換気扇全体の軽量化と、低コスト化を図り、実用に供した現場で取付ける建屋の換気扇装置と、建屋の軽量化、或いは材料・動力の節約化（換気扇枠体の省略）を図ること、等を意図する。
【００１８】
請求項１は、ハウス、工場の躯体を構成する外枠と、この外枠に設け、かつこのハウス、工場の内外方に突出するように設けた内枠と、この内枠に枢支した換気扇支持体と、この換気扇支持体に設けた換気扇で構成した現場で取付ける建屋の換気扇装置であって、
この換気扇支持体に設けた枢軸を、前記内枠に枢着するとともに、少なくともこの換気扇支持体及び／又は前記枢軸を、前記内枠に設けた駆動手段を介して回転させるとともに、当該換気扇支持体と内枠との間にロック機構を設け、このロック機構を、自動又は手動により施錠又は開錠する構成とした現場で取付ける建屋の換気扇装置である。
【００１９】
請求項２の発明は、建屋に設置した主として大型換気扇に、吸気・排気用の換気扇としての機能を備えることで、建屋の吸気及び／又は排気の多様化と、効率的な吸気及び／又は排気と、又は利便性を確保すること、防虫、及び益虫の保護と、益虫の死滅の回避、また、ハウス栽培の効率化と、無農薬化等に寄与すること、又は工場のサーキュレーション効果を発揮すること、等を意図する。また請求項２の発明は、建屋への外気の導入と、内気の排気を個別に図り、素早く換気を図ること、等を意図する。さらに請求項２の発明は、換気扇を、ワイヤの操作を介して回転することで、確実な回転と、人が建屋内に立った状態で、ワンタッチで操作可能な回転機構を提供することを意図する。
【００２０】
請求項２は、ハウス、工場の躯体を構成する外枠と、この外枠に設け、かつこのハウス、工場の内外方に突出するように設けた内枠と、この内枠に枢支した換気扇枠体と、この換気扇枠体に設けた換気扇で構成した現場で取付ける建屋の換気扇装置であって、
この換気扇枠体に設けた枢軸を、前記内枠に枢着するとともに、この枢軸にワイヤを捲装し、このワイヤを前記内枠に並設するとともに、当該ワイヤの両端を、この内枠の縁部まで延設し、かつこのワイヤを、前記換気扇枠体と内枠との間に設けたロックピンに捲装し、このロックピンを、前記ワイヤの動作で施錠又は開錠する構成とした現場で取付ける建屋の換気扇装置である。
【００２１】
請求項３の発明は、建屋に設置した主として大型換気扇に、吸気・排気用の換気扇としての機能を備えることで、建屋の吸気及び／又は排気の多様化と、効率的な吸気及び／又は排気と、又は利便性を確保すること、防虫、及び益虫の保護と、益虫の死滅の回避、また、ハウス栽培の効率化と、無農薬化等に寄与すること、又は工場のサーキュレーション効果を発揮すること、等を意図する。また請求項３の発明は、建屋への外気の導入と、内気の排気を個別に図り、素早く換気を図ること、等を意図する。さらに請求項３の発明は、換気扇を、ワイヤの操作を介して回転することで、確実な回転と、また、人が建屋内に立った状態で、ワンタッチで操作可能な回転機構を提供することを意図する。
【００２２】
請求項３は、ハウス、工場の躯体を構成する外枠と、この外枠に設け、かつこのハウス、工場の内外方に突出するように設けた内枠と、この内枠の第一の上下枠部に枢支した換気扇枠体と、この換気扇枠体に設けた換気扇で構成した現場で取付ける建屋の換気扇装置であって、
この換気扇枠体に設けた枢軸を、前記第一の上下枠部に枢着するとともに、この枢軸にワイヤを捲装し、このワイヤを前記第一の下枠部に並設するとともに、当該ワイヤの一方・他方の端部を、第一の下枠部の縁部まで延設し、かつこのワイヤを、前記換気扇枠体と第一の下枠部との間に設けたロックピンに捲装し、このロックピンを、前記ワイヤの一方・他方の動作で施錠又は開錠する構成とした現場で取付ける建屋の換気扇装置である。
【００２３】
請求項４・請求項５の発明は、請求項３の目的を達成すること、この目的を達成するに最適な、ワイヤの構造を提供すること、等を意図する。
【００２４】
請求項４は、請求項３に記載の現場で取付ける建屋の換気扇装置であって、
このワイヤは、その一方の端部が、前記第一の下枠部の表面側に設けたブラケットの鍔片と、この第一の下枠部の表面側にある鍔片を貫設し、かつ前記換気扇枠体の第二の下枠部の表面側、又はロック板に至るロックピンに設けた一方のローラの上面に係止するとともに、このワイヤは、前記第一の下枠部の裏面側を通って、この一方の端部から延設されたワイヤの中心部を、前記換気扇枠体の第二の下枠部の表面側の鍔片に固止する枢軸に設けた回転カムに係止し、その後、このワイヤは、前記第一の下枠部の裏面側を通って、このワイヤの中心部から延設された他方の端部が、前記ロックピンに設けた他方のローラの上面に係止して、前記第一の下枠部の表面側にある鍔片と、この第一の下枠部の表面側に設けたブラケットの鍔片を貫設する構成とした現場で取付ける建屋の換気扇装置である。
【００２５】
請求項５は、請求項３に記載の現場で取付ける建屋の換気扇装置であって、
前記ワイヤの中心部を、内枠の第一の下枠部の裏面側に設けた複数の滑車を介して、この第一の下枠部に設けた複数の孔に挿通し、前記回転カムの立上壁に係止する構成とした現場で取付ける建屋の換気扇装置である。
【００２６】
請求項６の発明は、請求項５の目的を達成すること、この目的を達成するに最適な、回転カムの構造を提供すること、等を意図する。
【００２７】
請求項６は、請求項５に記載の現場で取付ける建屋の換気扇装置であって、
前記回転カムは、平面視して扇形であり、この扇形の端部に立上壁を形成する構成とした現場で取付ける建屋の換気扇装置である。
【００２８】
請求項７の発明は、請求項５の目的を達成すること、この目的を達成するに最適な、ワイヤの構造を提供すること、等を意図する。
【００２９】
請求項７は、請求項５に記載の現場で取付ける建屋の換気扇装置であって、
前記ワイヤは、内枠の第一の下枠部に設けた孔を貫通し、及び係止リングへの係止を介して、前記回転カムの立上壁のガイド溝を経由する構成とした現場で取付ける建屋の換気扇装置である。
【００３０】
請求項８の発明は、建屋に設置した主として大型換気扇に、吸気・排気用の換気扇としての機能を備えることで、建屋の吸気及び／又は排気の多様化と、効率的な吸気及び／又は排気と、又は利便性を確保すること、防虫、及び益虫の保護と、益虫の死滅の回避、また、ハウス栽培の効率化と、無農薬化等に寄与すること、又は工場のサーキュレーション効果を発揮すること、等を意図する。また請求項８の発明は、建屋への外気の導入と、内気の排気を個別に図り、素早く換気を図ること、等を意図する。さらに請求項８の発明は、換気扇を、ワイヤの操作を介して回転することで、確実な回転と、人が建屋内に立った状態で、ワンタッチで操作可能な回転機構を提供することを意図する。
【００３１】
請求項８は、ハウス、工場の躯体を構成する外枠と、この外枠に設け、かつこのハウス、工場の内外方に突出するように設けた内枠と、この内枠に枢支した換気扇枠体と、この換気扇枠体に設けた換気扇で構成した現場で取付ける建屋の換気扇装置であって、
この換気扇枠体に設けた枢軸を、前記内枠に枢着するとともに、この枢軸に設けた滑車にワイヤを捲装し、このワイヤの両端を、前記内枠の下側まで垂下し、また、操作杆を、前記換気扇枠体と内枠の間に設けたロックピンに係止して、この操作杆の動きにより、施錠又は開錠する構成とした現場で取付ける建屋の換気扇装置である。
【００３２】
請求項９の発明は、建屋に設置した主として大型換気扇に、吸気・排気用の換気扇としての機能を備えることで、建屋の吸気及び／又は排気の多様化と、効率的な吸気及び／又は排気と、又は利便性を確保すること、防虫、及び益虫の保護と、益虫の死滅の回避、また、ハウス栽培の効率化と、無農薬化等に寄与すること、又は工場のサーキュレーション効果を発揮すること、等を意図する。また請求項９の発明は、建屋への外気の導入と、内気の排気を個別に図り、素早く換気を図ること、等を意図する。さらに請求項９の発明は、換気扇を、ワイヤの操作を介して回転することで、確実な回転と、また、人が建屋内に立った状態で、ワンタッチで操作可能な回転機構を提供することを意図する。
【００３３】
請求項９は、ハウス、工場の躯体を構成する外枠と、この外枠に設け、かつこのハウス、工場の内外方に突出するように設けた内枠と、この内枠に枢支した換気扇枠体と、この換気扇枠体に設けた換気扇で構成した現場で取付ける建屋の換気扇装置であって、
この換気扇枠体に設けた枢軸を、前記内枠に枢着するとともに、この枢軸に設けた滑車にワイヤを捲装し、このワイヤの両端を、前記内枠の下側まで垂下し、また、前記換気扇枠体に設けた対の切溝と、前記内枠にロックピンが挿脱可能に設けられるとともに、この内枠には、当該内枠に前記換気扇枠体が内設された際に、この内設状態を確保するストッパーを設け、さらに前記ロックピンを下げる引下げ手段と、このロックピンの復帰を図るスプリングを介して、施錠又は開錠する構成とした現場で取付ける建屋の換気扇装置である。
【００３４】
請求項１０の発明は、請求項１、請求項２、請求項３、請求項８、請求項９、のいずれかの目的を達成すること、この壁面用の換気扇は、防虫機構を備えた構造とし、無農薬、又は減農薬栽培を図ること、又は益虫の逃避を図り、ハウス栽培の合理化を図ること、工場内の塵埃を外に出さないこと、等を意図する。
【００３５】
請求項１０は、請求項１、請求項２、請求項３、請求項８、請求項９、のいずれかに記載の現場で取付ける建屋の換気扇装置であって、
このハウス、工場の壁面の内側に、前記換気扇の回転するスペースを確保し、このスペースを防虫ネット、又はビニール等の遮蔽部材で囲繞する構成とした現場で取付ける建屋の換気扇装置である。
【００３６】
請求項１１の発明は、請求項１、請求項２、請求項３、請求項８、請求項９、のいずれかの目的を達成すること、この目的を達成するに最適な、換気扇支持体、又は換気扇枠体の回転構造を提供すること、等を意図する。
【００３７】
請求項１１は、請求項１、請求項２、請求項３、請求項８、請求項９、のいずれかに記載の現場で取付ける建屋の換気扇装置であって、
この換気扇支持体、又は換気扇枠体に設けた枢軸を、モータと、歯車機構を介して、回転する構成とした現場で取付ける建屋の換気扇装置である。
【発明の効果】
【００３８】
請求項１の発明は、ハウス、工場の躯体を構成する外枠と、外枠に設け、かつハウス、工場の内外方に突出するように設けた内枠と、内枠に枢支した換気扇支持体と、換気扇支持体に設けた換気扇で構成した現場で取付ける建屋の換気扇装置であって、
換気扇支持体に設けた枢軸を、内枠に枢着するとともに、少なくとも換気扇支持体及び／又は枢軸を、内枠に設けた駆動手段を介して回転させるとともに、換気扇支持体と内枠との間にロック機構を設け、ロック機構を、自動又は手動により施錠又は開錠する構成とした現場で取付ける建屋の換気扇装置である。
【００３９】
従って、請求項１は、建屋に設置した主として大型換気扇（他の換気扇を含む）に、吸気・排気用の換気扇としての機能を備えることで、建屋の吸気及び／又は排気の多様化と、効率的な吸気及び／又は排気と、又は利便性を確保できること、防虫、及び益虫の保護と、益虫の死滅の回避、また、ハウス栽培の効率化と、無農薬化等に寄与できること、又は工場のサーキュレーション効果を発揮できること、等の特徴を有する。また請求項１は、建屋への外気の導入と、内気の排気を個別に図り、素早く換気が図れること、等の実益を有する。さらに請求項１は、換気扇を、駆動手段の操作を介して、確実に回転させることで、人が建屋内に立った状態で、ワンタッチ、または自動で操作可能な回転機構を提供できること等の利点を有する。そして、また、請求項１は、換気扇全体の軽量化と、低コスト化を図り、実用に供した現場で取付ける建屋の換気扇装置と、建屋の軽量化、或いは材料・動力の節約化（換気扇枠体の省略）が図れること、等の有利性を有する。
【００４０】
請求項２の発明は、ハウス、工場の躯体を構成する外枠と、外枠に設け、かつハウス、工場の内外方に突出するように設けた内枠と、内枠に枢支した換気扇枠体と、換気扇枠体に設けた換気扇で構成した現場で取付ける建屋の換気扇装置であって、
換気扇枠体に設けた枢軸を、内枠に枢着するとともに、枢軸にワイヤを捲装し、ワイヤを内枠に並設するとともに、ワイヤの両端を、内枠の縁部まで延設し、かつワイヤを、換気扇枠体と内枠との間に設けたロックピンに捲装し、ロックピンを、ワイヤの動作で施錠又は開錠する構成とした現場で取付ける建屋の換気扇装置である。
【００４１】
従って、請求項２は、建屋に設置した主として大型換気扇に、吸気・排気用の換気扇としての機能を備えることで、建屋の吸気及び／又は排気の多様化と、効率的な吸気及び／又は排気と、又は利便性が確保できること、防虫、及び益虫の保護と、益虫の死滅の回避ができること、また、ハウス栽培の効率化と、無農薬化等に寄与できること、又は工場のサーキュレーション効果を発揮できること、等の特徴を有する。また請求項２は、建屋への外気の導入と、内気の排気を個別に図り、素早く換気が図れること、等の利点を有する。さらに請求項２は、換気扇を、ワイヤの操作を介して回転できることで、確実な回転と、人が建屋内に立った状態で、ワンタッチで操作可能な回転機構を提供できること等の実益を有する。
【００４２】
請求項３の発明は、ハウス、工場の躯体を構成する外枠と、外枠に設け、かつハウス、工場の内外方に突出するように設けた内枠と、内枠の第一の上下枠部に枢支した換気扇枠体と、換気扇枠体に設けた換気扇で構成した現場で取付ける建屋の換気扇装置であって、
換気扇枠体に設けた枢軸を、第一の上下枠部に枢着するとともに、枢軸にワイヤを捲装し、ワイヤを第一の下枠部に並設するとともに、ワイヤの一方・他方の端部を、第一の下枠部の縁部まで延設し、かつワイヤを、換気扇枠体と第一の下枠部との間に設けたロックピンに捲装し、ロックピンを、ワイヤの一方・他方の動作で施錠又は開錠する構成とした現場で取付ける建屋の換気扇装置である。
【００４３】
従って、請求項３は、建屋に設置した主として大型換気扇に、吸気・排気用の換気扇としての機能を備えることで、建屋の吸気及び／又は排気の多様化と、効率的な吸気及び／又は排気と、又は利便性が確保できること、防虫、及び益虫の保護と、益虫の死滅の回避ができること、また、ハウス栽培の効率化と、無農薬化等に寄与できること、又は工場のサーキュレーション効果を発揮できること、等の特徴を有する。また請求項３は、建屋への外気の導入と、内気の排気を個別に図り、素早く換気が図れること、等の利点を有する。さらに請求項３は、換気扇を、ワイヤの操作を介して回転できることで、確実な回転と、また、人が建屋内に立った状態で、ワンタッチで操作可能な回転機構を提供できること等の実益を有する。
【００４４】
請求項４の発明は、請求項３に記載の現場で取付ける建屋の換気扇装置であって、
ワイヤは、一方の端部が、第一の下枠部の表面側に設けたブラケットの鍔片と、第一の下枠部の表面側にある鍔片を貫設し、かつ換気扇枠体の第二の下枠部の表面側、又はロック板に至るロックピンに設けた一方のローラの上面に係止するとともに、ワイヤは、第一の下枠部の裏面側を通って、一方の端部から延設されたワイヤの中心部を、換気扇枠体の第二の下枠部の表面側の鍔片に固止する枢軸に設けた回転カムに係止し、その後、ワイヤは、第一の下枠部の裏面側を通って、ワイヤの中心部から延設された他方の端部が、ロックピンに設けた他方のローラの上面に係止して、第一の下枠部の表面側にある鍔片と、第一の下枠部の表面側に設けたブラケットの鍔片を貫設する構成とした現場で取付ける建屋の換気扇装置である。
【００４５】
請求項５の発明は、請求項３に記載の現場で取付ける建屋の換気扇装置であって、
ワイヤの中心部を、内枠の第一の下枠部の裏面側に設けた複数の滑車を介して、第一の下枠部に設けた複数の孔に挿通し、回転カムの立上壁に係止する構成とした現場で取付ける建屋の換気扇装置である。
【００４６】
従って、請求項４・請求項５は、請求項３の目的を達成できること、この目的を達成するに最適な、ワイヤの構造を提供できること、等の特徴を有する。
【００４７】
請求項６の発明は、請求項５に記載の現場で取付ける建屋の換気扇装置であって、
回転カムは、平面視して扇形であり、扇形の端部に立上壁を形成する構成とした現場で取付ける建屋の換気扇装置である。
【００４８】
従って、請求項６は、請求項５の目的を達成できること、この目的を達成するに最適な、回転カムの構造を提供できること、等の特徴を有する。
【００４９】
請求項７の発明は、請求項５に記載の現場で取付ける建屋の換気扇装置であって、
ワイヤは、内枠の第一の下枠部に設けた孔を貫通し、及び係止リングへの係止を介して、回転カムの立上壁のガイド溝を経由する構成とした現場で取付ける建屋の換気扇装置である。
【００５０】
従って、請求項７は、請求項５の目的を達成できること、この目的を達成するに最適な、ワイヤの構造を提供できること、等の特徴を有する。
【００５１】
請求項８の発明は、ハウス、工場の躯体を構成する外枠と、外枠に設け、かつハウス、工場の内外方に突出するように設けた内枠と、内枠に枢支した換気扇枠体と、換気扇枠体に設けた換気扇で構成した現場で取付ける建屋の換気扇装置であって、
換気扇枠体に設けた枢軸を、内枠に枢着するとともに、枢軸に設けた滑車にワイヤを捲装し、ワイヤの両端を、内枠の下側まで垂下し、また、操作杆を、換気扇枠体と内枠の間に設けたロックピンに係止して、この操作杆の動きにより、施錠又は開錠する構成とした現場で取付ける建屋の換気扇装置である。
【００５２】
従って、請求項８は、建屋に設置した主として大型換気扇に、吸気・排気用の換気扇としての機能を備えることで、建屋の吸気及び／又は排気の多様化と、効率的な吸気及び／又は排気と、又は利便性が確保できること、防虫、及び益虫の保護と、益虫の死滅の回避ができること、また、ハウス栽培の効率化と、無農薬化等に寄与できること、又は工場のサーキュレーション効果を発揮できること等の特徴を有する。また請求項８は、建屋への外気の導入と、内気の排気を個別に図り、素早く換気が図れること、等の利点を有する。さらに請求項８は、換気扇を、ワイヤの操作を介して回転できることで、確実な回転と、人が建屋内に立った状態で、ワンタッチで操作可能な回転機構を提供できること等の実益を有する。
【００５３】
請求項９の発明は、ハウス、工場の躯体を構成する外枠と、外枠に設け、かつハウス、工場の内外方に突出するように設けた内枠と、内枠に枢支した換気扇枠体と、換気扇枠体に設けた換気扇で構成した現場で取付ける建屋の換気扇装置であって、
換気扇枠体に設けた枢軸を、内枠に枢着するとともに、枢軸に設けた滑車にワイヤを捲装し、ワイヤの両端を、内枠の下側まで垂下し、また、換気扇枠体に設けた対の切溝と、内枠にロックピンが挿脱可能に設けられるとともに、内枠には、内枠に換気扇枠体が内設された際に、内設状態を確保するストッパーを設け、さらにロックピンを下げる引下げ手段と、ロックピンの復帰を図るスプリングを介して、施錠又は開錠する構成とした現場で取付ける建屋の換気扇装置である。
【００５４】
従って、請求項９は、建屋に設置した主として大型換気扇に、吸気・排気用の換気扇としての機能を備えることで、建屋の吸気及び／又は排気の多様化と、効率的な吸気及び／又は排気と、又は利便性が確保できること、防虫、及び益虫の保護と、益虫の死滅の回避ができること、また、ハウス栽培の効率化と、無農薬化等に寄与できること、又は工場のサーキュレーション効果を発揮できること等の特徴を有する。また請求項９は、建屋への外気の導入と、内気の排気を個別に図り、素早く換気が図れること、等の利点を有する。さらに請求項９は、換気扇を、ワイヤの操作を介して回転できることで、確実な回転と、また、人が建屋内に立った状態で、ワンタッチで操作可能な回転機構を提供できること等の実益を有する。
【００５５】
請求項１０の発明は、請求項１、請求項２、請求項３、請求項８、請求項９、のいずれかに記載の現場で取付ける建屋の換気扇装置であって、
ハウス、工場の壁面の内側に、換気扇の回転するスペースを確保し、スペースを防虫ネット、又はビニール等の遮蔽部材で囲繞する構成とした現場で取付ける建屋の換気扇装置である。
【００５６】
従って、請求項１０は、請求項１、請求項２、請求項３、請求項８、請求項９、のいずれかの目的を達成できること、この壁面用の換気扇は、防虫機構を備えた構造とし、無農薬、又は減農薬栽培が図れること、又は益虫の逃避を図り、ハウス栽培の合理化が図れること、工場内の塵埃を外に出ないこと、等の特徴を有する。
【００５７】
請求項１１の発明は、請求項１、請求項２、請求項３、請求項８、請求項９、のいずれかに記載の現場で取付ける建屋の換気扇装置であって、
換気扇支持体、又は換気扇枠体に設けた枢軸を、モータと、歯車機構を介して、回転する構成とした現場で取付ける建屋の換気扇装置である。
【００５８】
従って、請求項１１は、請求項１、請求項２、請求項３、請求項８、請求項９、のいずれかの目的を達成できること、この目的を達成するに最適な、換気扇支持体、又は換気扇枠体の回転構造を提供できること、等の特徴を有する。
【発明を実施するための最良の形態】
【００５９】
以下、本発明の好ましい、一例を説明する。
【００６０】
本発明の図面の説明をすると、図１は、本発明の第一実施例を示したハウスの妻面（壁面）の外枠に設置された壁面用の換気扇（換気扇構造）とハウスの全体の一例を示した正面図、図２は、図１の状態をハウス内方より示した防虫ネットを省略した背面図、図３−１は、図１の換気扇の拡大正面図、図３−２は、図３−１の回転後の状態を示した拡大正面図、図４−１は、図１の要部を側面視し、外気の吸込み状態を示した拡大側面図、図４−２は、図１の要部を側面視し、内気の排気状態（換気扇の回転後の状態）を示した拡大側面図、図５は、ワイヤによる換気扇枠体の回転、並びにロック機構との関係を示した要部の平面概念図、図６は、ワイヤと、換気扇枠体と枠部との間に設けたロック機構との関係を示した要部の拡大正面図、図７は、ワイヤと、枢軸に設けた回転カムとの関係を示した要部の拡大平面図、図８−１は、ワイヤと、ローラと、滑車との関係を示し、ロックピンを省略した、要部の左側面から見た拡大断面図、図８−２は、図８−１の要部の裏面側から見た拡大斜視図、図９は、図７の表面側から見た拡大斜視図、図１０−１は、図３−１の換気扇の回転後の状態を示した一部省略の背面斜視図、図１０−２は、図１０−１の換気扇の回転途中の状態を示した一部省略の背面斜視図、図１０−３は、図１０−１の正面斜視図、図１１は、本発明の第二実施例を示した換気扇の一部欠截の拡大正面図、図１２は、図１１の回転後の状態を示した一部欠截の拡大正面図、図１３−１は、第二実施例の要部の拡大模式図、図１３−２は、第二実施例の他の例の要部の拡大模式図、図１４は、本発明の第三実施例を示した換気扇の一部欠截の拡大正面図、図１５は、図１４の滑車とワイヤとの関係を示した一部欠截の拡大正面図、図１６は、図１４のロックピンと、換気扇枠体及び枠体との関係を示した拡大断面図、図１７は、本発明の第一実施例に示した換気扇を、工場の妻面に設置した状態の、工場の全体の一例を示し、シャッターを省略した正面図、図１８−１は、他の第一実施例の要部を側面視し、外気の吸込み状態を示した拡大側面図、図１８−２は、図１８−１の要部を側面視し、内気の排気状態（換気扇の回転後の状態）を示した拡大側面図、図１９−１は、他の第二実施例の要部を側面視し、外気の吸込み状態を示した拡大側面図、図１９−２は、図１９−１の要部を側面視し、内気の排気状態（換気扇の回転後の状態）を示した拡大側面図、図２０−１は、他の第三実施例の要部を側面視し、外気の吸込み状態を示した拡大側面図、図２０−２は、図１８−１の要部を側面視し、内気の排気状態（換気扇の回転後の状態）を示した拡大側面図、図２１−１は、別の第三実施例の要部を側面視し、下向き送風を利用した内気の循環状態を示した拡大側面図、図２１−２は、別の第三実施例の要部を側面視し、上向き送風を利用した内気の循環状態を示した拡大側面図、図２２−１は、さらに他の第三実施例の要部を側面視し、下向き送風を利用した内気の循環状態を示した拡大側面図、図２１−２は、さらに他の第三実施例の要部を側面視し、上向き送風を利用した内気の循環状態を示した拡大側面図、である。
【００６１】
図中１はビニールハウス、ガラスハウス等のハウスＡ（建屋の一例である。）の外枠（躯体）で、この外枠１は、例えば、縦枠体１００（柱、その他枠材）と横枠体１０１（梁、その他枠材）で組付け構成される。そして、図示の例では、ハウスＡには、壁面Ａ１（妻面）があって、この壁面Ａ１には、略面一形態となるようにして、また、必要により、シャッターＢを設置し、後述する換気扇と、その付帯設備を隠蔽可能とする構造とし、このハウスＡの閉塞と、また、耐風、耐雨、又は場合により、耐震効果等を図る。尚、この外枠１には、ハウスＡ、工場Ｆ内方（外方は後述する）に突出するように、略方形状に枠組みされた内枠２が設けられる。そして、この内枠２は、ハウスＡの内方に突出した少なくとも、四本の連結内枠部２０１と、この連結内枠部２０１を支持する方形状の後方内枠部２００（第一の上下枠部２００ａ、２００ｂ、第一の左右枠部２００ｃ、２００ｄ、でなる）で構成する。また、前記外枠１には、必要により、シャッターＢを設けることで、例えば、ハウスＡの閉塞と、耐風、耐雨、耐震効果等を図り、また、換気扇Ｃの保護と、害虫の進入防止と、益虫の逃避防止等が図れる特徴がある。尚、この内枠２のハウスＡの内方への突出寸法Ｌは、後述する換気扇Ｃが、回転するために必要とする寸法であり、この例では、突出寸法Ｌは、この後方内枠部２ａと、外枠１で構成される空間３とする。
【００６２】
この後方内枠部２００（内枠２）内には、対（例えば、上下方）の枢軸５、５（５とする）を介して、換気扇Ｃの換気扇枠体４を設ける（収容する）。この一例では、後方内枠部２００の第一の上下枠部２００ａ、２００ｂと、第一の左右枠部２００ｃ、２００ｄの鍔片の内側に、換気扇枠体４の第二の上下枠部４００、４０１と、第二の左右枠部４０２、４０３の鍔片の外側を、略密着するように重畳して設け（後述するように、換気扇Ｃを設けた換気扇枠体４が回転（旋回）可能な略密着状態に設け）とともに、この後方内枠部２００（内枠２）と換気扇枠体４との間に設けた、前記枢軸５を介して、換気扇枠体４を、回転自在に設ける（内設する）。
【００６３】
そして、第一実施例は、この第二の上下枠部４００、４０１の鍔片の中心部に、外方（図３−１、３−２を例として、正面視して、上下方向）に向かって枢軸５を設け、この枢軸５を、例えば、座板６、６（６とする）を介して、第一の上下枠部２００ａ、２００ｂの鍔片の孔に遊嵌する。このように、座板６を介して、後方内枠部２００（内枠２）の内側に、換気扇枠体４を支持（枢支）し、この支持した換気扇枠体４を、略１８０度回転（旋回）可能とする。この換気扇枠体４の回転は、後述するように、ワイヤの操作を介して、この枢軸５を軸心として、回転し、この換気扇ＣがハウスＡの壁面Ａ１側にあるときは、換気扇Ｃを吸込み用（図４−１）として使用し、また、換気扇ＣがハウスＡの内方側にあるときは、排気用（図４−２）として使用する。尚、この内枠２は、ビニール等の遮蔽部材Ｄで囲繞することで、換気扇Ｃからの送風を遠方に、かつ集束して行え、ハウスＡ内の温湿度の均一化に寄与できる。また、この内枠２は防虫ネット等のネット（図示せず）で囲繞することも可能である。尚、前記ビニール等の遮蔽部材Ｄを取外し、内枠２のハウスＡ、工場Ｆ内の全方向を開放することで、吸気時に、例えば、壁面Ａ１内側に沿ったサーキュレーション効果を発揮することが可能となり、そして、作物、人に優しい環境が確保できる。そして、この遮蔽部材Ｄを、図示しない開閉自在のシャッターとし、このシャッターを、手動又は遠隔操作で開閉可能とすることもできる。
【００６４】
尚、この換気扇Ｃの構造は、この一例では、方形状の換気扇枠体４と、この換気扇枠体４の換気扇支持体４−１より延設した支持杆４０４（支持材）と、この支持枠４０４の中心に設けたモータ４０５と、このモータ４０５の出力軸４０６に設けた羽根４０７と、カード４０８で構成されており、モータ４０５の駆動（回転）を介して羽根４０７を駆動（回転）し、外気の吸込み（吸込み用）と、内気の排気（排気用）を図る構造である。
【００６５】
また、この換気扇枠体４（換気扇Ｃ）を回転（旋回）する構造（換気扇回転・旋回機構）を、以下、説明すると、下方の枢軸５に設けるとともに、この枢軸５が第一の下枠部２００ｂを貫設した箇所５００に設けた扇形の回転カム１０と、この回転カム１０の端部に設けた立上壁１０００と、この回転カム１０の立上壁１０００の反対端部に設けた係止リング１１と、第一の下枠部２００ｂの縁部より中心に向かって複数設けた孔１２ａ、１２ｂ、１２ｃ、１２ｄと、各孔１２ａ、１２ｂ、１２ｃ、１２ｄの上下側に間隔をおいて、かつ第一の下枠部２００ｂの裏面側２００ｂ−１に突設したブラケット１３ａ、１３ｂ、１３ｃ、１３ｄを介して、この裏面側２００ｂ−１に設けた滑車１５ａ、１５ｂ、１５ｃ、１５ｄと、また、（地面に垂れ下がる一方の自由端より延設されたワイヤ１７が、）この孔１２ａと滑車１５ａより第一の下枠部２００ｂの裏面側２００ｂ−１に至り、この第一の下枠部２００ｂの裏面側２００ｂ−１に並設し、そして、滑車１５ｄと孔１２ｄを経由し、この第一の下枠部２００ｂの表面側２００ｂ−２に設けた係止リング１１に捲装し、その後、回転カム１０の立上壁１０００のガイド溝１０００ａから、孔１２ｃと滑車１５ｃを経由し、前記第一の下枠部２００ｂの裏面側２００ｂ−１に並設し、そして、滑車１５ｂと孔１２ｂを経由し、前記第一の下枠部２００ｂの表面側２００ｂ−２に出て、地面に垂れ下がる他方の自由端を備えたワイヤ１７と（［ワイヤ１７の平面的な配備は、第一の下枠部２００ｂの表面側２００ｂ−２より、この第一の下枠部２００ｂの裏面側２００ｂ−１に至り、この第一の下枠部２００ｂの裏面側２００ｂ−１に並設し、そして、第一の下枠部２００ｂの表面側２００ｂ−２に出て、また、第一の下枠部２００ｂの裏面側２００ｂ−１に至り、この第一の下枠部２００ｂの裏面側２００ｂ−１に並設し、そして、第一の下枠部２００ｂの表面側２００ｂ−２に抜けるようにした一例である］）、このワイヤ１７を操作し、かつこのワイヤ１７の両自由端に設けた把持杆１８、１９とで構成する。
【００６６】
尚、図９に示したように、半回転した回転カム１０を、強制的に元の向きに戻すために、枢軸５にスプリング７を設けることも可能である。また、図７に示したように、この回転カム１０の他方にも立上壁１０００−１を設けて、戻り停止用のストッパー、又は補強に役立てることも可能である。
【００６７】
以上の構成であるワイヤ１７を介して、換気扇Ｃを回転（枢軸５を支点として旋回）する一例を説明すると、（但し、後述するロック機構２０を解除した後の操作である。）把持杆１９を引下げ、ワイヤ１７の一方を矢印「イ」の方向に引っ張ると、係止リング１１を介して回転カム１０が、時計回り方向（矢印「ロ」方向）に回転する。この回転で、ワイヤ１７の他方が矢印「イ−１」の方向に引っ張られるとともに、枢軸５が、時計回り方向に旋回する。即ち、換気扇Ｃが、時計回り方向に回転する。この動作を順次進めることで、図４−１の状態から、図４−２の状態に回転する。従って、前述の如く、換気扇Ｃを吸込み状態から、排気状態に変更できる。尚、ワイヤ１７の一方と他方は、上下位置関係を異にし（滑車１５ａ、１５ｂ、１５ｃ、１５ｄの溝、又はブラケット１３ａ、１３ｂ、１３ｃ、１３ｄの位置が上下に異なる関係）、絡まない構造とすることもできる。
【００６８】
また、前述した状態から（排気状態から吸込み状態に）変換するには、再度ロック機構２０を解除した後、逆に、把持杆１８を引下げ、ワイヤ１７の他方を矢印「ハ」の方向に引っ張ると、係止リング１１を介して回転カム１０が、反時計回り方向（矢印「ニ」方向）に回転する。この旋回で、ワイヤ１７の一方が矢印「ハ−１」の方向に引っ張られるとともに、枢軸５が、反時計回り方向に旋回する。即ち、換気扇Ｃが、反時計回り方向に回転する。この動作を順次進めることで、図４−２の状態から、図４−１の状態に回転する。前述の如く、換気扇Ｃを排気状態から、吸込み状態に変更できる。尚、このリターン（排気状態から、吸込み状態への変更）は、ワイヤ１７に代わり、スプリング（図示せず）の圧縮と反揆を介して行なう構造も可能である。さらには、このワイヤ１７とスプリングの併用もあり得る。そして、このスプリングを設ける箇所は、軸５、回転カム１０等があるが、その箇所は限定されない。
【００６９】
続いて、ロック機構２０の機構を説明すると、このロック機構２０は、後方内枠部２００（内枠２）の第一の下枠部２００ｂの表面側２００ｂ−２に設けたブラケット２１と、このブラケット２１の鍔片２１００の孔２１００ｂを下側が貫設するとともに、この後方内枠部２００（内枠２）の第一の下枠部２００ｂの表面側２００ｂ−２の鍔片の孔２００ｂ−２００より上側が貫設するロックピン２２と、このロックピン２２に直交するように設けた対のローラ２３、２３（以下、２３とする）と、このローラ２３の軸２３００（例えば、この軸２３００は、ロックピン２２に貫設して設ける）と、前記ブラケット２１の鍔片２１００との間に設けたスプリング２５と、前記換気扇枠体４の第二の下枠部４０１の表面側４０１ｂに設けた傾斜面を備えたロック板２６（又は換気扇枠体４の裏面側４０１ａ）で構成する。そして、このローラ２３の上面には、ワイヤ１７の他方と一方が添接（係止）されている。尚、ワイヤ１７の一方・他方は、このブラケット２１に設けた孔２１００ａを通る。
【００７０】
このロック機構２０の施錠（ロック）又は開錠（アンロック）を説明する。このロックピン２２の上側が、第一の下枠部２００ｂの表面側２００ｂ−２の鍔片の孔２００ｂ−２００に挿入された施錠状態において（吸込み時である。尚、場合により、排気時もあり得る）、把持杆１８、１９を共に下側に向かって引っ張ることで、ローラ２３とロックピン２２を共に引下げる（ロックピン２２の下側が、順次、ブラケット２１の鍔片２１００の孔２１００ｂに進入する）ともに、スプリング２５を圧縮する。このロックピン２２の引下げを介して、ロックピン２２の上側が、第一の下枠部２００ｂの鍔片の孔２００ｂ−２００から下側に脱抜され、このロックピン２２の上側がフリーとなり、このロックピン２２とロック板２６との係止が開錠される。この開錠を介して、前述のように換気扇Ｃが回転することで、換気扇Ｃを吸込み状態から排気状態に、変更できる。この換気扇Ｃの向きの変更後において、ローラ２３に対するワイヤ１７の引っ張りを開放すると、このロックピン２２がスプリング２５の反力で復帰し、かつ換気扇枠体４の裏面側４０１ａに衝止して停止する。この停止状態で、前記排気状態を確保（固定）する。尚、この停止を確保する自動式の停止機構を設けることも可能である（他の例も同じ）。
【００７１】
尚、前記ロックピン２２の上側が、換気扇枠体４の裏面側４０１ａに衝止した開錠状態において（排気時である。しかし、場合により、吸込み時もあり得る）、この開錠状態を施錠状態にするには、前述と同じ操作をし、ローラ２３とロックピン２２を共に引下げるとともに、スプリング２５を圧縮する。このロックピン２２の引下げを介して、ロックピン２２の上側が、換気扇枠体４の第二の下枠部４０１の裏面側４０１ａから外れ（裏面側４０１ａの下側に沈み）、このロックピン２２と第二の下枠部４０１の裏面側４０１ａの衝止が開放される。この開放を介して、前述のように換気扇Ｃが回転することで、換気扇Ｃを排気状態から、吸込み状態に、変更できる。この変更後において、ローラ２３に対するワイヤ１７の引っ張りを開放すると、このロックピン２２がスプリング２５の反力で復帰し、かつロック板２６の傾斜面を迫り上がり、最初の施錠状態となる。尚、前記開錠状態を、図示しない、自動ロック機構（自動停止機構）に置換する構造、又は自動制御するロック機構（自動制御機構）の採用も可能である。この自動停止・制御機構では、遠隔操作が可能である。さらに前記ワイヤ１７の操作を、自動制御（遠隔操作）することも可能である。
【００７２】
そして、図４−１に示すように、内枠２の外側にスペースＳをおいて、ハウスＡの防虫・防塵用の防虫ネット３０を張装する。このスペースＳは、換気扇Ｃが回転するエリアとする。尚、図中３１は防虫ネット３０を支持する支持枠を示す。
【００７３】
また、図１１〜図１３−２は、第二実施例を示したものであり、この例は、ハウスＡ、工場Ｆ内方（外方は後述する）に突出する内枠２（後方内枠部２００）に、換気扇支持体４−１を枢支する構造であって、この後方内枠部２００（内枠２）の第一の上下枠部２００ｂａ，２００ｂと換気扇支持体４−１の上下枠部４−１ａ、４−２ｂの間に枢軸５を設け、この下方の枢軸５は、駆動手段（モータ２４、又はワイヤ１７ｂ）を介して、回転させる。また、この後方内枠部２００（内枠２）の左右枠部２００ｃ、２００ｄには、換気扇支持体４−１の左右枠部４−３ｃ、４−４ｄが、略密着状態で設けられる。そして、枢軸５の回転により、換気扇支持体４−１が回転する。この換気扇支持体４−１の回転を図る一例として、図１３−１の如く、枢軸５を、モータ２４と複数の歯車群を利用して、回転させる構造と、図１３−２の如く、枢軸５に設けた滑車（符号を付けない）と、ワイヤ１７ｂを介して、回転させる構造等が一例として考えられる。そして、この例では、換気扇支持体４−１の停止と、開放を維持するために、図示しない、ロックピン、その他の停止機構を利用し、確実に、その停止と、開放を図ることで、確実な換気と閉塞、又は、事故防止を図る。また、このワイヤ１７ｂ及び／又はカム等を利用した回転操作は、後述する第一実施例に準ずる。尚、前記枢軸５は、第一の上下枠部２００ａ、２００ｂ及び／又は上下枠体４−１ａ、４−１ｂに、ブラケット等の補助手段を介して取付ける。また枢軸５にカム機構を設けることも可能である。さらに、図示しないが、換気扇支持体４−１は、利便性と、操作の容易化等を意図して、手動操作で直接、又は遠隔操作により遠方より、回転させることも可能である。その際、換気扇支持体４−１、又は枢軸５のどちらかを回転させることもできる。
【００７４】
次に、図１４〜図１６に示した第三実施例では、外枠１と、ハウスＡ、工場Ｆ内方（外方は後述する）に突出する内枠２、並びに換気扇Ｃ（換気扇枠体４）の構造は、第一実施例と略同様であるので、その相違点を説明する。この例では、左右の枢軸５、５（５とする）を、後方内枠部２００（内枠２）と換気扇枠体４の横方向Ｅの中心に設ける構造であって、第二の左右枠部４０２、４０３の外側に枢軸５を突設し、この突出部５ａ、５ａ（５ａとする）を、第一の左右枠部２００ｃ、２００ｄに貫通する。そして、この端部５ａ１、５ａ１（５ａ１とする）に、滑車１５ｅを取付ける。この滑車１５ｅには、ワイヤ１７を捲装し、このワイヤ１７の引張り及び／又は弛緩を介して、枢軸５を回転し、換気扇Ｃを回転させる構造である。即ち、換気扇Ｃは、枢軸５を支軸として、横方向Ｅを中心に、矢印「ホ」又は「ホー１」方向に略１８０度回転する。
【００７５】
またこの換気扇Ｃを固定するための手段として、この第三実施例では、次のような構造を採用する。即ち、図１６のように、第一の下枠部２００ｂの孔２００ｂ−２０１を介して、第二の下枠部４０１の回転方向（矢印「ホ」方向）に開口した切溝４２に亘ってロックピン４３を設け、このロックピン４３は、スプリング４５を介して、切溝４２の方向（上方向）に付勢されており、また、このロックピン４３に係止した紐、ワイヤ等の操作杆１７ａを引張することで、このロックピン４３の上部が、前記切溝４２より、下側に離間する構造である。従って、この離間した状態で、換気扇Ｃが矢印「ホ」又は「ホー１」方向に回転する構造である。そして、この回転終了（略１８０度回転）後、操作杆１７ａに対する引張りを停止すると、スプリング４５の反発力を介して、前記ロックピン４３の上部が基の位置に復帰して、前記切溝４２内に戻り、換気扇Ｃの可動を停止するとともに、第一の下枠部２００ｂのストッパー４６を利用し、後方内枠部２００（内枠２）に、換気扇枠体４が内設される。尚、ストッパー４６は、第二上下枠部４００、４０１の回転に障害がない形状を確保する。そして、この換気扇Ｃの回転機構、及び／又はロックピン４３を具備するロック機構は一例であり、限定されない。
【００７６】
尚、図１７は、工場Ｆ（建屋の別の一例である。）の妻面等の壁面Ｆ１に第一実施例の換気扇構造を設けた一例であり、その構造は、前述の各例に準ずる。
【００７７】
そして、図示しないが、各実施例において、前記枢軸５を、例えば、モータと歯車機構を介して、回転する構造も可能である。また、前述した図１〜図１７の垂直回転方式では、換気扇Ｃの開度（垂直方向「天地方向」において）を調整することもできる。この例では、原則として、ハウスＡ、工場Ｆの室内（妻面）の循環扇とし利用する。
【００７８】
次に、図１８−１、図１８−２に示した他の第一実施例は、第一実施例を変更した構造である。この他の第一実施例は、前記内枠２は、ハウスＡの外方に突出するように設けられる構造であり、ハウスＡ、工場Ｆにおいて、従来と同じ内部空間を確保することと、この内部空間（栽培面積、床、又は空間領域）を有効に活用すること等にある。そして、この内枠２に、第一実施例と同様に、換気扇枠体４、枢軸５、ワイヤ１７、並びに把持杆１８、１９を設ける構造である。尚、この例では、この外方に突出する構造であり、枠体２の上面に張装した遮蔽部材Ｄの上に、滞留雨水、積雪回避のために、例えば、この遮蔽部材Ｄの上に屋根、又は庇等の構造体Ｇを設けることが望ましい。図中１０２は筋交いを示す。
【００７９】
次に、図１９−１、図１９−２に示した他の第二実施例は、第二実施例を変更した構造である。この他の第二実施例は、前記内枠２は、ハウスＡの外方に突出するように設けられる構造であり、ハウスＡ、工場Ｆにおいて、従来と同じ内部空間を確保することと、この内部空間を有効に活用すること等にある。そして、この内枠２に、第二実施例と同様に、換気扇支持体４−１、枢軸５、また、ワイヤ１７、並びに把持杆１８、１９を設ける構造である。その他は、第二実施例と、他の第一実施例に準ずる。
【００８０】
そして、図２０−１、図２０−２に示した他の第三実施例は、第三実施例を変更した構造である。この他の第三実施例は、前記内枠２は、ハウスＡの外方に突出するように設けられる構造であり、ハウスＡ、工場Ｆにおいて、従来と同じ内部空間を確保することと、この内部空間を有効に活用すること等にある。そして、この内枠２に、第三実施例と同様に、換気扇枠体４、枢軸５、滑車１５ｅ、また、ワイヤ１７、並びに把持杆１８、１９を設ける構造である。その他は、第三実施例と、他の第一実施例に準ずる。
【００８１】
さらに、図２１−１、図２１−２に示した別の第三実施例は、前記第三実施例を変更した構造である。この別の第三実施例は、換気扇枠体４を、ハウスＡ、工場Ｆの立設方向において、略途中で停止する構造であり、図２１−１は、主として室内の下向きの送風を介して、循環扇として利用するものであり、図中５０は停止用の係止ピンで、縦枠体１００に出没自在に設けられている。即ち、換気扇枠体４の回転時に、没入し、停止時に、突出する構造である。また５１はストッパーであり、ワイヤ１７を停止時に緊締する。この係止ピン５０及び／又はストッパー５１を介して、前記換気扇枠体４の停止状態を確保する。尚、図２１−２は、主として室内の上向きの送風を介して、循環扇として利用するものであり、その他は、前記図２１−１に準ずる。
【００８２】
また、図２２−１、図２２−２に示したさらに他の第三実施例は、前記他の第三実施例を変更した構造である。この別の第三実施例は、換気扇枠体４を、ハウスＡ、工場Ｆの立設方向において、略途中で停止する構造であり、図２２−１は、室内の一部において、主として下向きの送風を介して、循環扇として利用するものであり、その他は、前記図２１−１に準ずる。またこの図２２−２は、前記図２１−２に準ずる。尚、この別の第三実施例では、遮蔽部材Ｄに換えて、開閉自在のシャッター構造とすることが望ましい。
【図面の簡単な説明】
【００８３】
【図１】図１は、本発明の第一実施例を示したハウスの妻面（壁面）の外枠に設置された壁面用の換気扇（換気扇構造）とハウスの全体の一例を示した正面図
【図２】図２は、図１の状態をハウス内方より示した防虫ネットを省略した背面図
【図３−１】図３−１は、図１の換気扇の拡大正面図
【図３−２】図３−２は、図３−１の回転後の状態を示した拡大正面図
【図４−１】図４−１は、図１の要部を側面視し、外気の吸込み状態を示した拡大側面図
【図４−２】図４−２は、図１の要部を側面視し、内気の排気状態（換気扇の回転後の状態）を示した拡大側面図
【図５】図５は、ワイヤによる換気扇枠体の回転、並びにロック機構との関係を示した要部の平面概念図
【図６】図６は、ワイヤと、換気扇枠体と枠部との間に設けたロック機構との関係を示した要部の拡大正面図
【図７】図７は、ワイヤと、枢軸に設けた回転カムとの関係を示した要部の拡大平面図
【図８−１】図８−１は、ワイヤと、ローラと、滑車との関係を示し、ロックピンを省略した、要部の左側面から見た拡大断面図
【図８−２】図８−２は、図８−１の要部の裏面側から見た拡大斜視図
【図９】図９は、図７の表面側から見た拡大斜視図
【図１０−１】図１０−１は、図３−１の換気扇の回転後の状態を示した一部省略の背面斜視図
【図１０−２】図１０−２は、図１０−１の換気扇の回転途中の状態を示した一部省略の背面斜視図
【図１０−３】図１０−３は、図１０−１の正面斜視図
【図１１】図１１は、本発明の第二実施例を示した換気扇の一部欠截の拡大正面図
【図１２】図１２は、図１１の回転後の状態を示した一部欠截の拡大正面図
【図１３−１】図１３−１は、第二実施例の要部の拡大模式図
【図１３−２】図１３−２は、第二実施例の他の例の要部の拡大模式図
【図１４】図１４は、本発明の第三実施例を示した換気扇の一部欠截の拡大正面図
【図１５】図１５は、図１４の滑車とワイヤとの関係を示した一部欠截の拡大正面図
【図１６】図１６は、図１４のロックピンと、換気扇枠体及び枠体との関係を示した拡大断面図
【図１７】図１７は、本発明の第一実施例に示した換気扇を、工場の妻面に設置した状態の、工場の全体の一例を示し、シャッターを省略した正面図
【図１８−１】図１８−１は、他の第一実施例の要部を側面視し、外気の吸込み状態を示した拡大側面図
【図１８−２】図１８−２は、図１８−１の要部を側面視し、内気の排気状態（換気扇の回転後の状態）を示した拡大側面図
【図１９−１】図１９−１は、他の第二実施例の要部を側面視し、外気の吸込み状態を示した拡大側面図
【図１９−２】図１９−２は、図１９−１の要部を側面視し、内気の排気状態（換気扇の回転後の状態）を示した拡大側面図
【図２０−１】図２０−１は、他の第三実施例の要部を側面視し、外気の吸込み状態を示した拡大側面図
【図２０−２】図２０−２は、図２０−１の要部を側面視し、内気の排気状態（換気扇の回転後の状態）を示した拡大側面図
【図２１−１】図２１−１は、別の第三実施例の要部を側面視し、下向き送風を利用した内気の循環状態を示した拡大側面図
【図２１−２】図２１−２は、別の第三実施例の要部を側面視し、上向き送風を利用した内気の循環状態を示した拡大側面図
【図２２−１】図２２−１は、さらに他の第三実施例の要部を側面視し、下向き送風を利用した内気の循環状態を示した拡大側面図
【図２２−２】図２１−２は、さらに他の第三実施例の要部を側面視し、上向き送風を利用した内気の循環状態を示した拡大側面図
【符号の説明】
【００８４】
１                  外枠
１００              縦枠体
１０１              横枠体
１０２              筋交い
２                  内枠
２００              後方内枠部
２００ａ            第一の上枠部
２００ｂ            第一の下枠部
２００ｂ−１        裏面側
２００ｂ−２        表面側
２００ｂ−２００    鍔片の孔
２００ｂ−２０１    孔
２００ｃ            第一の左枠部
２００ｄ            第一の右枠部
２０１              連結内枠部
３                  空間
４                  換気扇枠体
４−１              換気扇支持体
４−１ａ            上枠部
４−１ｂ            下枠部
４−１ｃ            左枠部
４−１ｄ            右枠部
４００              第二の上枠部
４０１              第二の下枠部
４０１ａ            裏面側
４０１ｂ            表面側
４０２              第二の左枠部
４０３              第二の右枠部
４０４              支持杆
４０５              モータ
４０６              出力軸
４０７              羽根
４０８              ガード
５                  枢軸
５００              箇所
５ａ                突出部
５ａ１              端部
６                  座板
７                  スプリング
１０                回転カム
１０００            立上壁
１０００ａ          ガイド溝
１０００−１        立上壁
１１                係止リング
１２ａ〜１２ｄ      孔
１３ａ〜１３ｄ      ブラケット
１５ａ〜１５ｅ      滑車
１７                ワイヤ
１７ａ              操作杆
１７ｂ              ワイヤ
１８                把持杆
１９                把持杆
２０                ロック機構
２１                ブラケット
２１００            鍔片
２１００ａ          孔
２１００ｂ          孔
２２                ロックピン
２３                ローラ
２３００            軸
２４                モータ
２５                スプリング
２６                ロック板
３０                防虫ネット
３１                支持枠
４２                切溝
４３                ロックピン
４５                スプリング
４６                ストッパー
５０                係止ピン
５１                ストッパー
Ａ                  ハウス
Ａ１                壁面
Ｂ                  シャッター
Ｃ                  換気扇
Ｄ                  遮蔽部材
Ｅ                  横方向
Ｆ                  工場
Ｆ１                壁面
Ｇ                  構造体
Ｌ                  突出寸法
Ｓ                  スペース
【図１】
2010065856.tif 000003
【図２】
2010065856.tif 000004
【図３−１】
2010065856.tif 000005
【図３−２】
2010065856.tif 000006
【図４−１】
2010065856.tif 000007
【図４−２】
2010065856.tif 000008
【図５】
2010065856.tif 000009
【図６】
2010065856.tif 000010
【図７】
2010065856.tif 000011
【図８−１】
2010065856.tif 000012
【図８−２】
2010065856.tif 000013
【図９】
2010065856.tif 000014
【図１０−１】
2010065856.tif 000015
【図１０−２】
2010065856.tif 000016
【図１０−３】
2010065856.tif 000017
【図１１】
2010065856.tif 000018
【図１２】
2010065856.tif 000019
【図１３−１】
2010065856.tif 000020
【図１３−２】
2010065856.tif 000021
【図１４】
2010065856.tif 000022
【図１５】
2010065856.tif 000023
【図１６】
2010065856.tif 000024
【図１７】
2010065856.tif 000025
【図１８−１】
2010065856.tif 000026
【図１８−２】
2010065856.tif 000027
【図１９−１】
2010065856.tif 000028
【図１９−２】
2010065856.tif 000029
【図２０−１】
2010065856.tif 000030
【図２０−２】
2010065856.tif 000031
【図２１−１】
2010065856.tif 000032
【図２１−２】
2010065856.tif 000033
【図２２−１】
2010065856.tif 000034
【図２２−２】
2010065856.tif 000035